(57)【要約】【課題】電力増幅装置のメモリ効果に起因する出力信号の歪を低減する。【解決手段】ＰＡ１０６の出力信号は、第１のＢＰＦ３００およびＡＮＴ１０８を介して、希望信号帯域のみが選択的に無線通信回線に送信される。一方、出力信号の一部は、方向性結合器１１０およびダウンコンバータ１２０を介してＢＰＦ３０２に入力され、希望信号帯域のみが選択的に通過させられ、Ａ／Ｄ１２２によりディジタル形式のデータに変換され、フィードバックデータとなる。制御部１２４は、フィードバックデータを、ＬＵＴ１２８の更新のために用いる。ＬＵＴ１２８は、エンベロープディテクタ１２６が検出した入力データの振幅値を示す振幅値データＥに応じた補償データをプリディストータ１００に対して出力し、プリディストータ１００は、補償データを用いて、ＰＡ１０６の出力信号の歪が小さくなるように入力データを補償する。【選択図】図２
2008258713.tif 000002
【特許請求の範囲】
【請求項１】
非線形部分を含む入出力特性で入力信号を電力増幅し、出力信号として出力する電力増幅手段と、
前記出力信号をフィルタリングして、前記出力信号の所望の周波数帯域の成分のみを通過させる第１のフィルタと、
前記電力増幅手段の入出力特性の非線形部分により生じる前記出力信号の歪を補償するための補償信号を生成する補償信号生成手段と、
前記生成された補償信号を用いて、前記入力信号を補償する補償手段と、
前記出力信号に結合して、前記出力信号の一部を取り出す結合手段と、
前記取り出された出力信号の一部をフィルタリングして、前記所望の周波数帯域の成分のみを取り出す第２のフィルタと、
前記第２のフィルタにより取り出された周波数帯域の成分に基づいて、前記補償信号を更新する補償信号更新手段と
を有する電力増幅装置。
【発明の詳細な説明】
【技術分野】
【０００１】
本発明は、出力信号に生じる非線形歪みを補償して電力増幅を行う電力増幅装置に関する。
【背景技術】
【０００２】
入力信号に対して、予め電力増幅装置の入出力特性の補償を行い、電力増幅装置の出力信号中に、入出力特性の非線形性により生じる歪を低減するプリディストーション方式の電力増幅装置が用いられている。
しかしながら、電力増幅装置には、各時点において、出力信号電力のその時点における瞬時電力値に応じた歪が発生するだけでなく、各時点において、出力信号電力のその時点以外における瞬時電力値に応じた歪が発生する。
このような事象は、電力増幅装置のメモリ効果とも呼ばれる。
例えば、非特許文献１は、電力増幅装置のメモリ効果の要因が、電源電圧の変動であるとして、これを補償するディジタルプレディストータを開示する。
【非特許文献１】メモリ効果を有する電力増幅器に対するディジタルプレディストータ（本江直樹，宮谷徹彦，赤岩芳彦，電子情報通信学会論文誌（Ｂ），vol. J88-B, No. 10, pp.2067-2071, ２００５年１０月）
【発明の開示】
【発明が解決しようとする課題】
【０００３】
本発明は、上述した背景からなされたものであって、電力増幅装置のメモリ効果に起因する出力信号の歪を、従来よりも低減できるように改良された電力増幅装置を提供することを目的とする。
【課題を解決するための手段】
【０００４】
上記目的を達成するために、本発明にかかる電力増幅装置は、非線形部分を含む入出力特性で入力信号を電力増幅し、出力信号として出力する電力増幅手段と、前記出力信号をフィルタリングして、前記出力信号の所望の周波数帯域の成分のみを通過させる第１のフィルタと、前記電力増幅手段の入出力特性の非線形部分により生じる前記出力信号の歪を補償するための補償信号を生成する補償信号生成手段と、前記生成された補償信号を用いて、前記入力信号を補償する補償手段と、前記出力信号に結合して、前記出力信号の一部を取り出す結合手段と、前記取り出された出力信号の一部をフィルタリングして、前記所望の周波数帯域の成分のみを取り出す第２のフィルタと、前記第２のフィルタにより取り出された周波数帯域の成分に基づいて、前記補償信号を更新する補償信号更新手段とを有する。
【発明の効果】
【０００５】
本発明にかかる電力増幅装置によれば、電力増幅装置のメモリ効果に起因する出力信号の歪を、従来よりも低減できる。
【発明を実施するための最良の形態】
【０００６】
［プリディストーション方式］
まず、プリディストーション方式を説明する。
一般的に、電力増幅装置は、入力信号の振幅値が小さい領域では、線形の入出力特性を示す。
しかしながら、入力信号の振幅値がある程度大きくなると、非線形の入出力特性を示すようになり、さらに入力信号の振幅値が大きくってゆくと、やがて、飽和した入出力特性を示すようになる。
【０００７】
このように、電力増幅装置が、非線形あるいは飽和した入出力特性を示す状態で用いられると、出力信号に非線形歪みが発生し、この非線形歪みは、希望信号帯域内および希望信号帯域外（隣接チャネル）への不要信号成分の漏洩をもたらすこととなる。
特に、移動体通信システムの基地局の送信電力が高いので、移動体通信システムの基地局については、ＡＣＬＲ(Adjacent Channel Leakage power Ratio)、スプリアス規格およびスペクトラムエミッションマスクなどが厳しく規定されている。
【０００８】
このような背景から、基地局の電力増幅装置の非線形歪みをできるだけ低減させたいという要請があり、電力増幅装置の非線形歪みの低減のために、プリディストーション(predistortion)方式が、一般的に用いられている。
このプリディストーション方式は、電力増幅装置のＡＭ／ＡＭ非直線特性およびＡＭ／ＰＭ非直線特性の逆特性を与えるＡＭ／ＡＭ変換およびＡＭ／ＰＭ変換を、入力信号に対して予め行うことにより、電力増幅装置で発生する非線形歪みを補償する。
【０００９】
［一般的なプリディストーション型電力増幅装置］
本願発明の理解を助けるために、まず、一般的なプリディストーション型電力増幅装置を説明する。
図１は、一般的なプリディストーション型の第１の電力増幅装置１を示す図である。
図１に示すように、電力増幅装置１は、プリディストータ(predistorter)１００、ディジタル／アナログ変換回路（Ｄ／Ａ）１０２、アップコンバータ１０４、電力増幅回路（ＰＡ）１０６、アンテナ（ＡＮＴ）１０８、方向性結合器１１０、ダウンコンバータ１２０、アナログ／ディジタル変換回路（Ａ／Ｄ）１２２、制御部１２４、エンベロープディテクタ(envelope detector)１２６および歪補償テーブル（ＬＵＴ；Look Up Table）１２８から構成される。
なお、各図においては、実質的に同じ構成部分には、同じ符号が付される。
【００１０】
ディジタル形式の入力データは、電力増幅装置１の外部からプリディストータ１００およびエンベロープディテクタ１２６に入力される。
エンベロープディテクタ１２６は、入力データの電力値または振幅値（以下の説明においては、エンベロープディテクタ１２６が振幅値を検出する場合を具体例とする）を検出し、検出した振幅値を、ディジタル形式で示す振幅データＥを、ＬＵＴ１２８に対して出力する。
【００１１】
ＬＵＴ１２８は、プリディストーション方式により歪補償を行うための歪補償用テーブルを記憶している。
この歪補償用テーブルには、歪補償の対象となるＰＡ１０６の入出力特性における非線形性の逆特性を示す補償データ（一般に、入力データの振幅値（振幅データＥ）を指標とするＡＭ／ＡＭ特性（振幅）およびＡＭ／ＰＭ特性（位相））が記憶されている。
ＬＵＴ１２８は、エンベロープディテクタ１２６から入力された振幅データＥを用いて、歪補償用テーブルを参照し、振幅データＥの値に応じた補償データを参照の結果として得て、プリディストータ１００に対して出力する。
プリディストータ１００は、ＬＵＴ１２８から入力される補償データを用いて、入力データに対してＰＡ１０６の非線形性の逆特性を付加して、Ｄ／Ａ１０２に対して出力する。
【００１２】
Ｄ／Ａ１０２は、プリディストータ１００の出力信号を、アナログ形式のベースバンド信号に変換し、アップコンバータ１０４に対して出力する。
アップコンバータ１０４は、入力されたベースバンド信号を、無線周波数帯域の信号に変換し、ＰＡ１０６に対する入力信号とする。
ＰＡ１０６は、入力信号を電力増幅して出力信号とし、ＡＮＴ１０８および方向性結合器１１０に対して出力し、ＡＮＴ１０８を介して無線通信回線に対して送信する。
【００１３】
方向性結合器１１０は、ＰＡ１０６からＡＮＴ１０８へ出力される出力信号の一部を取り出して、フィードバック信号として、ダウンコンバータ１２０に対して出力する。
ダウンコンバータ１２０は、入力された出力信号の一部を、ベースバンド信号または中間周波数帯域信号に変換し、Ａ／Ｄ１２２に対して出力する（以下、ダウンコンバータ１２０がベースバンド信号を出力する場合を具体例とする）。
Ａ／Ｄ１２２は、入力されたベースバンド信号を、ディジタル形式の出力データに変換し、制御部１２４に対して出力する。
制御部１２４は、入力された出力データを用いて、温度変化および経年変化などのために変化したＰＡ１０６の入出力特性を、ＬＵＴ１２８に記憶された歪補償用テーブルの内容に反映させ、常にＰＡ１０６の出力信号に発生する歪を最少に保つようにする。
【００１４】
［電力増幅装置のメモリ効果に起因する歪］
しかしながら、ＰＡ１０６の出力信号には、各時点の瞬時電力値に基づくＡＭ／ＡＭ特性およびＡＭ／ＰＭ特性に起因する歪が生じるだけではなく、ＰＡ１０６のメモリ効果によって生じる歪も生じる。
メモリ効果は、各時点での出力信号の電力値が、他の時点での出力信号の電力値から影響を受けることに起因し、周波数特性を有する。
従って、メモリ効果を正確に補償するためには、制御部１２４は、希望信号帯域の両側に発生する各次数の相互変調歪を評価しなければならず、フィードバック信号には、広い帯域が求められる。
【００１５】
［プリディストーション方式の電力増幅装置の改善されるべき点］
現在、高い電力効率を得るために、ドハティ増幅器の研究が行われているが、この増幅器の非線形歪は広帯域になることが分かってきた。
また、高い電力効率を得ることのできる増幅素子としてＧａＮ（窒化ガリウム）増幅素子が注目されているが、ＧａＮ増幅素子を用いた電力増幅装置の出力信号の非線形歪は、ＬＤ−ＭＯＳ増幅素子を用いた電力増幅装置の出力信号の非線形歪と比較して、広帯域になる。
【００１６】
さらに、増幅の対象となる信号の周波数帯域もまた、将来、ますます広帯域になると予想される。
従って、メモリ効果を補償するプリディストーション方式の電力増幅装置は、改良なしには、将来的には、扱う信号の広帯域化に対応できず、歪補償特性を改善できない。
また、メモリ効果を補償するプリディストーション方式の電力増幅装置を、信号の広帯域化に対応させ、歪補償特性を改善するために、電力増幅装置のハードウェア規模が、著しく増大してしまう可能性がある。
【００１７】
また、現在開発されているＷｉＭＡＸ(Worldwide Interoperability for Microwave Access)方式にはＯＦＤＭＡ方式が採用され、さらに、高速データ伝送を行うために６４ＱＡＭなどの直交振幅変調方式が採用される。
このために、ＷｉＭＡＸ方式においては、現在の携帯電話で主流であるＷ−ＣＤＭＡおよびｃｄｍａ２０００などのＣＤＭＡ方式と比較すると、ＡＣＬＲ(Adjacent Channel Leakage power Ratio)よりも、むしろ、ＥＶＭ(Error Vector Magnitude)の品質の方が重要視される。
ＥＶＭは、希望信号帯域内の非線形歪が劣化要因となるため，広帯域化による歪補償特性の劣化の影響を受ける。
従って、電力増幅装置の出力側に帯域制限フィルタ（ＢＰＦ）を挿入しても、希望信号帯域外の歪電力は減衰するが、希望信号帯域内の歪電力は残留するので、ＥＶＭの品質は改善されない。
【００１８】
［プリディストーション方式の改良のための手段］
上述の要改善点を解消するために、本発明にかかる電力増幅装置においては、電力増幅装置の出力信号に対して帯域制限を行い、希望信号帯域のみ、または、希望信号とその近傍の帯域のみをフィードバックするように改良されている。
このように帯域制限を行うことにより、電力増幅装置が、メモリ効果等の周波数特性を有する場合であっても、希望信号帯域付近の歪補償性能が改善され、その結果として、電力増幅装置のＥＶＭ品質が改善される。
さらに、電力増幅装置の出力側を帯域制限するこによって、ＥＶＭおよびＡＣＬＲ品質を改善することができる。
あるいは、電力増幅装置のメモリ効果を補償する様々なプリディストータを用いることによって、キャリア信号近傍の歪補償可能な帯域を広くすることができる。
【００１９】
［本発明にかかる第２の電力増幅装置３０］
図２は、本発明にかかる第２の電力増幅装置３０を示す図である。
図２に示すように、第２の電力増幅装置３０は、図１に示した第１の電力増幅装置１において、方向性結合器１１０とＡＮＴ１０８の間に、通信に必要な周波数帯域（希望信号帯域）のみを通過させる第１のバンドパスフィルタ（ＢＰＦ）３００を挿入し、ＢＰＦ３００とＡＮＴ１０８との間に、受信機２１０と結合されたサーキュレータ２００を挿入し、ダウンコンバータ１２０とＡ／Ｄ１２２との間に、希望信号帯域のみを通過させる第２のＢＰＦ３０２を挿入した構成を採る。
第２の電力増幅装置３０は、ＴＤＤ方式のＷｉＭＡＸ基地局に使用されることが想定されている。
【００２０】
［第２の電力増幅装置３０の全体動作］
以下、第２の電力増幅装置３０の全体動作を説明する。
ディジタル形式の入力データは、電力増幅装置１の外部からプリディストータ１００およびエンベロープディテクタ１２６に入力される。
エンベロープディテクタ１２６は、入力データの電力値または振幅値（以下の説明においては、エンベロープディテクタ１２６が振幅値を検出する場合を具体例とする）を検出し、検出した振幅値を、ディジタル形式で示す振幅データＥを、ＬＵＴ１２８に対して出力する。
【００２１】
ＬＵＴ１２８は、プリディストーション方式により歪補償を行うための歪補償用テーブルを記憶している。
この歪補償用テーブルには、歪補償の対象となるＰＡ１０６の入出力特性における非線形性の逆特性を示す補償データ（一般に、入力データの振幅値（振幅データＥ）を指標とするＡＭ／ＡＭ特性（振幅）およびＡＭ／ＰＭ特性（位相））が記憶されている。
ＬＵＴ１２８は、エンベロープディテクタ１２６から入力された振幅データＥを用いて、歪補償用テーブルを参照し、振幅データＥの値に応じた補償データを参照の結果として得て、プリディストータ１００に対して出力する。
プリディストータ１００は、ＬＵＴ１２８から入力される補償データを用いて、入力データに対する補償を行い、補償された入力データを、Ｄ／Ａ１０２に対して出力する。
【００２２】
なお、プリディストータ１００は、様々な公知の方式のものが用いられ得る。
また、プリディストータ１００自体が、メモリ効果を補償する機能を有していてもよく、この場合には、補償可能な帯域が広くなる。
【００２３】
Ｄ／Ａ１０２は、補償された入力データを、アナログ形式のベースバンド信号またはＩＦ信号（以下、ベースバンド信号の場合を例示）に変換し（ベースバンド信号が入力されたときには、直交変調器が用いられる）、アップコンバータ１０４に対して出力する。
アップコンバータ１０４は、入力されたベースバンド信号を、無線周波数帯域の信号に変換し、ＰＡ１０６に対する入力信号とする。
ＰＡ１０６は、入力信号を電力増幅して出力信号とし、方向性結合器１１０を介してＢＰＦ３００に対して出力する。
ＢＰＦ３００は、出力信号の希望信号帯域のみを通過させて、サーキュレータ２００に対して出力する。
ＢＰＦ３００は、例えば、多段接続された空洞または誘電体共振器により構成され、カットオフ周波数は、規格上のエミッションマスク（通常は、エミッションマスクより若干内側）に設定される。
プリディストータ１００によりある程度、帯域外歪が補正されているので、ＢＰＦ３００の帯域外減衰量は、２０〜３０ｄＢ程度確保されればよい。
【００２４】
方向性結合器１１０は、ＰＡ１０６からＡＮＴ１０８へ出力される出力信号の一部を取り出して、ダウンコンバータ１２０に対して出力する。
ダウンコンバータ１２０は、入力された出力信号の一部を、ベースバンド信号またはＩＦ信号（以下、ベースバンド信号の場合を例示）に変換し、ＢＰＦ３０２に対して出力する。
ＢＰＦ３０２は、ベースバンド信号の内、希望信号帯域のみを通過させて、Ａ／Ｄ１２２に対して出力する。
Ａ／Ｄ１２２は、ＢＰＦ３０２から入力されたベースバンド信号を、ディジタル形式の出力データに変換し、制御部１２４に対して出力する。
制御部１２４は、入力された出力データを用いて、温度変化および経年変化などのために変化したＰＡ１０６の入出力特性を、ＬＵＴ１２８に記憶された歪補償用テーブルの内容に反映させ、常にＰＡ１０６の出力信号に発生する歪を最少に保つようにする。
サーキュレータ２００は、フェライトなどを用いて構成される非可逆回路素子であって、ＢＰＦ３００が接続されたポートａから入力された（送信）信号を、ＡＮＴ１０８が接続されたポートｂに対して出力し、ポートｂから入力された（受信）信号を、受信機２１０に対して出力する。
ＡＮＴ１０８は、サーキュレータ２００から入力された送信信号を空中に放射するとともに、空中から受信した受信信号を、サーキュレータ２００に対して出力する。
受信機２１０は、サーキュレータ２００から入力された受信信号の復調などを行う。
【００２５】
制御部１２４によるＬＵＴ１２８の更新は、波形比較法を用いる方法や、フィードバック信号をフーリエ変換して得られるスペクトルを用いる方法など、さまざまな方法により歪を評価し、最急降下法や摂動法など、さまざまな適応アルゴリズムを用いて行われうる。
制御部１２４が波形比較法によりＬＵＴ１２８を更新するときには、図１，図２（図５，図６）に点線で示すように、入力データが制御部１２４に対して入力される。
プリディストータ１００およびエンベロープディテクタ１２６に入力される入力データと、Ａ／Ｄ１２２から制御部１２４に入力される入力データ（フィードバックデータ）との差（誤差）を評価する関数としては、各種の方法が用いられうる。
ＬＵＴ１２８の更新のために、フィードバックデータのスペクトルを用いる場合は、歪電力が測定され、測定された歪電力を評価関数として、各種の適応アルゴリズムが用いられうる。
フィードバックデータのスペクトルをＬＵＴ１２８の更新のために用いる場合は、帯域制限フィルタは狭帯域でなくてもよいが、希望信号付近の電力のみが評価関数として選択される。
【００２６】
［第２の電力増幅装置３０による出力信号品質の改善］
図３は、出力信号の周波数スペクトルを模式的に例示する図であって、（Ａ）は、歪補償なしのＰＡ１０６の出力信号の周波数スペクトルを示し、（Ｂ）歪補償後（１）は、メモリ効果が少ない場合であって、一般的なプリティストーション方式により歪補償を行った場合の出力信号の周波数スペクトルを示し、（Ｂ）歪補償後（２）は、メモリ効果が大きい場合であって、一般的なプリディストーション方式により歪補償を行った場合のＰＡ１０６の出力信号の周波数スペクトルを示し、（Ｃ）は、メモリ効果が大きい場合であって、出力信号のみをＢＰＦを通過させて希望信号帯域のみを通過させた場合の出力信号の周波数スペクトルを示し、（Ｄ）は、メモリ効果が大きい場合であって、出力信号およびＡ／Ｄ１２２に対する入力信号（フィードバック信号）を、ＢＰＦによりフィルタリングした場合の出力信号の周波数スペクトルを示す。
【００２７】
例えば、図１に示した第１の電力増幅装置１におけるＰＡ１０６のメモリ効果が小さいときには、図３（Ｂ）歪補償後（１）に示すように、プリディストーション方式の歪補償のみによって、十分に高品質な出力信号の周波数スペクトルが得られる。
しかしながら、第１の電力増幅装置１におけるＰＡ１０６のメモリ効果が大きくなると、図３（Ｂ）歪補償後（２）に示すように、出力信号中の残留歪成分が大きくなり、第１の電力増幅装置１では、十分な歪補償性能が得られない。
【００２８】
仮に、図２に示した第２の電力増幅装置３０が、第１のＢＰＦ３００のみを備え、第２のＢＰＦ３０２を備えず、ＰＡ１０６の出力信号のみをフィルタリングして希望信号成分を通過させて送信し、ダウンコンバータ１２０からのベースバンド信号をフィルタリングせず、希望信号成分以外を通過させてＡ／Ｄ１２２に対して入力すると、出力信号の周波数スペクトルは、図３（Ｃ）に示すようになり、希望信号帯域内の残留歪成分のために、ＥＶＭ品質が改善されない。
一方、第２の電力増幅装置３０は、第２のＢＰＦ３０２を備えるので、出力信号およびフィードバック信号の両方がフィルタリングされる、フィードバック信号の希望信号成分のみが、ＬＵＴ１２８の更新に用いられる。
従って、第２の電力増幅装置３０の出力信号のＥＶＭ品質が向上する。
また、第２の電力増幅装置３０は、第１のＢＰＦ３０２を備えるので、ＡＣＬＲ品質が向上する。
つまり、図３（Ｄ）に示すように、第１の電力増幅装置１の出力信号と比べて、第２の電力増幅装置３０の出力信号のＡＣＬＲおよびＥＶＭの品質は、両方とも向上する。
【００２９】
図４は、出力信号の周波数スペクトルの実測値を示す図である。
図４に符号ａを付して示す曲線は、歪補償を行わない場合の出力信号の周波数スペクトルであり、符号ｂを付して示す曲線は、ＢＰＦ３０２により帯域制限されたフィードバック信号の周波数スペクトルであり、符号ｃを付して示す曲線は、第２の電力増幅装置３０において、ＰＡ１０６の出力信号、つまり、第１のＢＰＦ３００を通過する前の出力信号の周波数スペクトルである。
図４を参照することにより、第２の電力増幅装置３０を用いると、ＡＣＬＲおよびＥＶＭの両方の品質が向上することが分かる。
【００３０】
第２の電力増幅装置３０は、歪を含んだ帯域よりも，狭い帯域のフィードバック信号を用いて、特に希望信号帯域内およびその近傍の歪補償性能を向上するプリディストータを用いていることを特徴とし、この特徴を有する電力増幅装置は、第２の電力増幅装置２と均等物である。
第２の電力増幅装置３０によれば、希望信号帯域内の歪補償特性を向上させることができ、ＥＶＭの品質を最良にすることができる。
【００３１】
［第３の電力増幅装置３２］
以下、図２に示した第２の電力増幅装置３０の変形例として、第３の電力増幅装置３２を説明する。
図５は、本発明にかかる第３の電力増幅装置３２を示す図である。
図５に示すように、第３の電力増幅装置３２は、第２の電力増幅装置３０におけるＡ／Ｄ１２２と制御部１２４との間に、ディジタル的に希望信号帯域をフィルタリングして通過させるＦＩＲフィルタ３２０が挿入された構成を採る。
この場合、ＢＰＦ３０２は、ダウンコンバータ１２０の出力信号のイメージ除去のみを行えばよいので、ＢＰＦ３０２の通過帯域は比較的広くてもよい。
また、第３の電力増幅装置３２は、アイソレータなどのアンテナ共有器２０２を、方向性結合器１１０の前段に備えた構成を採る。
なお、アンテナ共有器２０２は、アイソレータの他、ダイオードを用いたＴＤＤスイッチを用いて構成されてもよい。
第３の電力増幅装置３２は、アンテナ共有器２０２通過後の信号がフィードバックされるように構成されているので、アンテナ共有器２０２で発生する帯域内歪も補償することができ、高い出力信号の品質改善効果が得られる。
【００３２】
［第４の電力増幅装置３４］
以下、図２に示した第２の電力増幅装置３０の変形例として、第４の電力増幅装置３４を説明する。
図６は、本発明にかかる第４の電力増幅装置３４を示す図である。
図６に示すように、第４の電力増幅装置３４は、第２の電力増幅装置３０におけるＢＰＦ３００が、ＰＡ１０６と方向性結合器１１０との間に挿入された構成を採る。
第４の電力増幅装置３４においても、第２のＢＰＦ３０２は、ダウンコンバータ１２０の出力信号のイメージ除去のみを行えばよいので、ＢＰＦ３０２の通過帯域は比較的広くてもよい。
第４の電力増幅装置３４によっても、第２の電力増幅装置３０と同様の出力信号の品質改善効果が得られる。
【産業上の利用可能性】
【００３３】
本発明は、電力増幅装置として利用可能である。
【図面の簡単な説明】
【００３４】
【図１】一般的なプリディストーション型の第１の電力増幅装置を示す図である。
【図２】本発明にかかる第２の電力増幅装置を示す図である。
【図３】出力信号の周波数スペクトルを模式的に例示する図であって、（Ａ）は、歪補償なしのＰＡの出力信号の周波数スペクトルを示し、（Ｂ）歪補償後（１）は、メモリ効果が少ない場合であって、一般的なプリティストーション方式により歪補償を行った場合の出力信号の周波数スペクトルを示し、（Ｂ）歪補償後（２）は、メモリ効果が大きい場合であって、一般的なプリディストーション方式により歪補償を行った場合のＰＡの出力信号の周波数スペクトルを示し、（Ｃ）は、メモリ効果が大きい場合であって、出力信号のみをＢＰＦを通過させて希望信号帯域のみを通過させた場合の出力信号の周波数スペクトルを示し、（Ｄ）は、メモリ効果が大きい場合であって、出力信号およびＡ／Ｄに対する入力信号（フィードバック信号）を、ＢＰＦによりフィルタリングした場合の出力信号の周波数スペクトルを示す。
【図４】出力信号の周波数スペクトルの実測値を示す図である。
【図５】本発明にかかる第３の電力増幅装置を示す図である。
【図６】本発明にかかる第４の電力増幅装置を示す図である。
【符号の説明】
【００３５】
１，３０，３２，３４・・・電力増幅装置，
１００・・・プリディストータ，
１０２・・・Ｄ／Ａ，
１０４・・・アップコンバータ，
１０６・・・ＰＡ，
１０８・・・ＡＮＴ，
１１０・・・方向性結合器，
１２０・・・ダウンコンバータ，
１２２・・・Ａ／Ｄ，
１２４・・・制御部，
１２６・・・エンベロープディテクタ，
１２８・・・ＬＵＴ，
３００，３０２・・・ＢＰＦ，
３２０・・・ＦＩＲフィルタ，
【図１】
2008258713.tif 000003
【図２】
2008258713.tif 000004
【図３】
2008258713.tif 000005
【図４】
2008258713.tif 000006
【図５】
2008258713.tif 000007
【図６】
2008258713.tif 000008